(57)【要約】【課題】足にマッサージ効果や熱移動効果が十分に及ぶようにして、より一層、消炎鎮痛効果，疲労回復，リラクゼーション効果等の向上を図る。【解決手段】足Ｆが入れられる浴槽１と、入れられた足Ｆを支持する支持体１０と、支持体１０に支持された足Ｆに向けて温湯を噴射するシャワーノズルＮとを備え、シャワーノズルＮとして、支持体１０に支持された足Ｆの足裏Ｆｂに向けて温湯を噴射する足裏用シャワーノズルＮＡと、支持体１０に支持された足の甲Ｆｃに向けて温湯を噴射する甲用シャワーノズルＮＢとを備え、足裏用シャワーノズルＮＡ及び甲用シャワーノズルＮＢの温湯の噴射範囲を、足指Ｆｄにも及ぶように設定し、支持体１０を、足Ｆの踵Ｆａ以外が浴槽１内に露出するように踵Ｆａを支承する凹部１４からなる踵支承部１３を有して構成した。【選択図】  図１
2004298558.tif 000002
【特許請求の範囲】
【請求項１】
足が入れられる浴槽と、入れられた足を支持する支持体と、該支持体に支持された足に向けて温湯を噴射するシャワーノズルとを備えた下肢浴装置において、
上記シャワーノズルとして、上記支持体に支持された足の足裏に向けて温湯を噴射する足裏用シャワーノズルと、上記支持体に支持された足の甲に向けて温湯を噴射する甲用シャワーノズルとを備えたことを特徴とする下肢浴装置。
【請求項２】
上記足裏用シャワーノズル及び甲用シャワーノズルの温湯の噴射範囲を、足指にも及ぶように設定したことを特徴とする請求項１記載の下肢浴装置。
【請求項３】
上記支持体を、足の踵以外が浴槽内に露出するように該踵を支承する踵支承部を有して構成したことを特徴とする請求項１または２記載の下肢浴装置。
【請求項４】
上記支持体を、浴槽の底部に突設された台本体を備えて構成し、上記踵支承部を上記台本体の上面に凹設され該踵が没入する凹部で構成したことを特徴とする請求項３記載の下肢浴装置。
【請求項５】
上記凹部の底部に該凹部に溜まる水を排出する排水口を設けたことを特徴とする請求項４記載の下肢浴装置。
【請求項６】
上記台本体を樹脂で型成形したことを特徴とする請求項４または５記載の下肢浴装置。
【請求項７】
上記浴槽を、膝下が入れられる大きさの上開放の浴槽本体と、該浴槽本体に開閉可能に設けられる蓋とを備えて構成し、該浴槽本体及び蓋間に下肢を囲繞する開口を設け、上記足裏用シャワーノズルを浴槽本体に設け、上記甲用シャワーノズルを蓋に設けたことを特徴とする請求項１，２，３，４，５または６記載の下肢浴装置。
【請求項８】
上記開口の浴槽本体側の開口縁に、膝裏を支承するクッション部材を設けたことを特徴とする請求項７記載の下肢浴装置。
【請求項９】
上記下肢のふくらはぎに向けて温湯を噴射するふくらはぎ用シャワーノズルを備えて構成したことを特徴とする請求項１，２，３，４，５，６，７または８記載の下肢浴装置。
【発明の詳細な説明】
【０００１】
【発明の属する技術分野】
本発明は、老人や下肢に障害のある障害者を始め一般人にも有用な下肢浴装置に係り、特に、足にシャワーを浴びせて下肢を入浴させる下肢浴装置に関する。
【０００２】
【従来の技術】
従来、この種の下肢浴装置としては、例えば、特許文献１（特開平１１−１９７２０４号公報）に掲載されているものが知られている。これは、図１０に示すように、足Ｆが入れられる上開放の浴槽１０１と、入れられた足Ｆを支持する支持部１０２と、下肢Ｌのふくらはぎ（脹脛）Ｌａに向けて温湯を噴射するシャワーノズル１０３と、下肢Ｌのすね（脛）Ｌｂに向けて温湯を噴射するシャワーノズル１０４とを備えて構成されている。
【０００３】
そして、この下肢浴装置１００を用いるときは、使用者は、浴槽１０１の開口縁に設けた座部１０５に腰掛けて、足Ｆを浴槽１０１内に入れ支持部１０２に足Ｆをおく。この状態で、ソレノイドバルブからなる流量弁１０６を開にする。この場合、温調弁１０７を調整して給湯配管１０８からの湯と給水配管１０９からの水とを混合して適温の温湯にしておく。これにより、温水がシャワーノズル１０３，１０４から噴射され、温水が、下肢ＬのふくらはぎＬａ及びすねＬｂに当てられ、治療としての鎮静効果や、筋肉の緊張を解かす効果が得られる。
【０００４】
【特許文献１】
特開平１１−１９７２０４号公報
【０００５】
【発明が解決しようとする課題】
ところで、このような従来の下肢浴装置１００にあっては、シャワーの温湯が下肢ＬのふくらはぎＬａやすねＬｂに働き、ある程度血流量が増加して鎮痛効果や疲労回復が図られるが、足Ｆの末梢血管にまでは作用しにくいので、必ずしも、効果が十分ではないという問題があった。
【０００６】
即ち、一般に、粒子状シャワーにおいては、物理的にマッサージ効果があるだけでなく、シャワー粒子の運動エネルギーにより皮膚表面温度遷移層（境界層あるいは境界膜とも言う）が薄くなる為に、熱移動量（熱流束）も多くなるが、従来の、装置においては、足Ｆへの作用がないので、それだけ、このマッサージ効果や熱移動効果が不十分になってしまうのである。
【０００７】
本発明は上記の問題点に鑑みて為されたもので、足にマッサージ効果や熱移動効果が十分に及ぶようにして、より一層、消炎鎮痛効果，疲労回復，リラクゼーション効果等の向上を図った下肢浴装置を提供することを目的とする。
【０００８】
【課題を解決するための手段】
このような目的を達成するため、本発明の下肢浴装置は、足が入れられる浴槽と、入れられた足を支持する支持体と、該支持体に支持された足に向けて温湯を噴射するシャワーノズルとを備えた下肢浴装置において、上記シャワーノズルとして、上記支持体に支持された足の足裏に向けて温湯を噴射する足裏用シャワーノズルと、上記支持体に支持された足の甲に向けて温湯を噴射する甲用シャワーノズルとを備えた構成としている。
【０００９】
これにより、下肢の入浴を行なうときは、足を浴槽本体内に入れ足を支持体に支持する。この状態で、足裏用シャワーノズル及び甲用シャワーノズルから温湯を噴射すると、温湯は、足裏及び甲に当たり、シャワーであるので、足裏及び甲がよくマッサージされるとともに、シャワー粒子の運動エネルギーにより皮膚表面温度遷移層（境界層あるいは境界膜とも言う）が薄くなる為に、熱移動量（熱流束）も多くなり、末梢血管の血流量の増加が図られる。
【００１０】
そして、必要に応じ、上記足裏用シャワーノズル及び甲用シャワーノズルの温湯の噴射範囲を、足指にも及ぶように設定した構成としている。特に、温湯が足指に噴射されるので、この足指の血流量も直接的に増大させられる。足裏及び足指は、第二の心臓ともいわれ、この部位の血流量の増大は、極めて身体の機能回復に寄与することになる。
【００１１】
また、必要に応じ、上記支持体を、足の踵以外が浴槽内に露出するように該踵を支承する踵支承部を有して構成している。足は、踵において踵支承部に支承されており、足の踵以外は浴槽内に露出しているので、シャワーが満遍なく足に当たることになり、そのため、確実にマッサージが行なわれ、シャワー粒子の運動エネルギーが伝達されて、末梢血管の血流量の増加が図られる。
【００１２】
この場合、上記支持体を、浴槽の底部に突設された台本体を備えて構成し、上記踵支承部を上記台本体の上面に凹設され該踵が没入する凹部で構成したことが有効である。踵が凹部に没入するので、踵の保持が確実になっており、足が容易に動きにくいことから、確実に位置決めされる。そのため、温湯が目標に向けて確実に噴射されることになるので、この点でも、確実にマッサージが行なわれ、シャワー粒子の運動エネルギーが伝達されて、末梢血管の血流量の増加が図られる。
【００１３】
また、必要に応じ、上記凹部の底部に該凹部に溜まる水を排出する排水口を設けた構成としている。凹部の底部に溜まる水が排水口から排出されるので、次に使用するときには、凹部に水がないことから、不快感が防止される。
【００１４】
更に、必要に応じ、上記台本体を樹脂で型成形した構成としている。台本体は浴槽とは別に製造されるので製造が容易になるとともに、組付けも容易になる。
【００１５】
更にまた、必要に応じ、上記浴槽を、膝下が入れられる大きさの上開放の浴槽本体と、該浴槽本体に開閉可能に設けられる蓋とを備えて構成し、該浴槽本体及び蓋間に下肢を囲繞する開口を設け、上記足裏用シャワーノズルを浴槽本体に設け、上記甲用シャワーノズルを蓋に設けた構成としている。蓋の開閉により足の出し入れができることから、使用が容易になる。
【００１６】
また、必要に応じ、上記開口の浴槽本体側の開口縁に、膝裏を支承するクッション部材を設けた構成としている。膝裏が痛くなるなどの支障が防止される。
【００１７】
更に、必要に応じ、上記下肢のふくらはぎに向けて温湯を噴射するふくらはぎ用シャワーノズルを備えて構成している。足裏用シャワーノズル及び甲用シャワーノズルの両方のノズルからの温湯に加えて、ふくらはぎもふくらはぎ用シャワーノズルから噴射された温湯に晒されるので、より相乗的に末梢血管の血流量の増加が図られる。
【００１８】
【発明の実施の形態】
以下、添付図面に基づいて、本発明の実施の形態に係る下肢浴装置について詳細に説明する。尚、上記と同様のものには同一の符号を付して説明する。
図１乃至図４に示すように、実施の形態に係る下肢浴装置Ｓの基本的構成は、足Ｆが入れられる浴槽１と、入れられた足Ｆを支持する支持体１０と、支持体１０に支持された足Ｆに向けて温湯を噴射するシャワーノズルＮとを備えてなる。
【００１９】
浴槽１は、両下肢Ｌの膝下が入れられる大きさの上開放の浴槽本体２と、浴槽本体２に開閉可能に設けられる蓋体３とを備えて構成されている。浴槽本体２及び蓋体３は、樹脂などで一体成形されている。蓋体３はその後側においてヒンジ４を介して浴槽本体２に回動可能に設けられている。浴槽本体２には、図示外の排水孔が設けられている。
また、浴槽本体２及び蓋体３間の前側には、両下肢Ｌを囲繞する開口５が設けられている。開口５の浴槽本体２側の開口縁には、膝裏を支承するクッション部材６が設けられている。そして、使用者は、図２に示すように、椅子Ｔ等に座することにより開口５から浴槽１内部に足Ｆを入れる。
【００２０】
支持体１０は、図５乃至図８にも示すように、樹脂で一体成形され浴槽１の底部１ａに設けられた台本体１１を備えている。台本体１１は、浴槽本体２の底部１ａ左右から突設された取付部１２にボルト１２ａ及びナット１２ｂでワッシャ１２ｃを介して固定されて架設されており、台本体１１の下側１１ａを排水の流路としている。台本体１１は浴槽１とは別に製造されるので製造が容易になっているとともに、組付けも容易になっている。支持体１０は、足Ｆの踵（かかと）Ｆａ以外が浴槽１内に露出するように踵Ｆａを支承する踵支承部１３を有して構成されている。
【００２１】
踵支承部１３は、台本体１１の上面に凹設され踵Ｆａが没入する凹部１４で構成され、両足Ｆに対応できるように、所定間隔で一対設けられている。凹部１４は踵Ｆａの形状にほぼ合致する形状に形成されている。凹部１４の底部には、凹部１４に溜まる水を排出する排水口１５が設けられている。
【００２２】
また、一対の凹部１４の間の内側部分１６は、凹部１４の外側部分１７に比較して高さが高くなっており、剛性が大きくなっている。また、内側部分１６は、足Ｆの内側縁が当接可能になっており、内側への倒れを規制しうるように形成されている。
【００２３】
シャワーノズルＮとしては、支持体１０に支持された足Ｆの足裏Ｆｂに向けて温湯を噴射する足裏用シャワーノズルＮＡと、支持体１０に支持された足Ｆの甲Ｆｃに向けて温湯を噴射する甲用シャワーノズルＮＢと、下肢Ｌのふくらはぎ（脹脛）Ｌａに向けて温湯を噴射するふくらはぎ用シャワーノズルＮＣとを備えている。足裏用シャワーノズルＮＡ，甲用シャワーノズルＮＢ及びふくらはぎ用シャワーノズルＮＣは、両足Ｆに対応して一対ずつ設けられている。
【００２４】
また、足裏用シャワーノズルＮＡ及びふくらはぎ用シャワーノズルＮＣは、浴槽本体２に設けられ、甲用シャワーノズルＮＢは、蓋体３に設けられている。
更に、足裏用シャワーノズルＮＡ及び甲用シャワーノズルＮＢの温湯の噴射範囲は、足指Ｆｄにも及ぶように設定されている。
【００２５】
浴槽１には、図２に示すように、温湯供給部２０が近接して設けられている。図９に示すように、温湯供給部２０は、温湯を供給する給湯ポンプ２１と、水を供給する給水ポンプ２２と、給湯ポンプ２１からの温湯に給水ポンプ２２からの水を混合して温湯の温度調整を行なうミキサ２３と、ミキサ２３からの温湯を送り出す加圧ポンプ２４とを有して構成されている。図９中、Ｖ１  は加圧ポンプ２４の後流の電磁バルブ、Ｖ２  は電磁バルブＶ１  上流に設けられたドレン用の電磁バルブである。また、２５は給湯ポンプ２１からの配管に設けられた減圧器、２６は圧力計、２７は温度計、２８は給水ポンプ２２からの配管に設けられた減圧器、２９は圧力計、３０は温度計、３１はミキサ２３と加圧ポンプ２４の間の減圧器である。
【００２６】
従って、この実施の形態に係る下肢浴装置Ｓにより下肢Ｌの入浴を行なうときは、図１及び図２に示すように、蓋体３を開け、使用者が自らもしくは介護を受けて、椅子Ｔ等に座して足Ｆを浴槽本体２内に入れる。このとき、足Ｆの踵Ｆａを支持体１０の踵支承部１３に載せ支承させる。それから、蓋体３を閉める。この場合、蓋体３の開閉により足Ｆの出し入れができることから、使用が容易になる。
【００２７】
この状態で、図９に示すように、メインスイッチ（図示せず）をオンにし、給湯ポンプ２１，給水ポンプ２２及び加圧ポンプ２４を駆動する。この場合、予め、電磁バルブＶ１  を閉、電磁バルブＶ２  を開にして、温度調整運転を行なって、適正温度に設定しておく。
【００２８】
設定温度は、シャワー粒子の運動エネルギーにより皮膚表面温度遷移層（境界層あるいは境界膜とも言う）が薄くなる為に、所謂不感温度域（３５〜３６℃）あるいは微温度域（３７〜３９℃）といわれる低温度でも十分であり、あたたかく感じられる。
【００２９】
適正温度状態において、電磁バルブＶ１  を開，電磁バルブＶ２  を閉とする。これにより、足裏用シャワーノズルＮＡ，甲用シャワーノズルＮＢ及びふくらはぎ用シャワーノズルＮＣから温湯が噴射される。
足裏用シャワーノズルＮＡから噴射された温湯は、足裏Ｆｂに当たり、シャワーであるので、足裏Ｆｂがよくマッサージされるとともに、シャワー粒子の運動エネルギーにより皮膚表面温度遷移層（境界層あるいは境界膜とも言う）が薄くなる為に、熱移動量（熱流束）も多くなり、末梢血管の血流量の増加が図られる。特に、足裏用シャワーノズルＮＡの温湯の噴射範囲が、足指Ｆｄにも及ぶように設定されているので、この足指Ｆｄの血流量も直接的に増大させられる。足裏Ｆｂ及び足指Ｆｄは、第二の心臓ともいわれ、この部位の血流量の増大は、極めて、健康の向上に寄与することになる。
【００３０】
また、甲用シャワーノズルＮＢから噴射された温湯は、甲Ｆｃに当たり、シャワーであるので、甲Ｆｃがよくマッサージされるとともに、シャワー粒子の運動エネルギーにより、上記と同様に熱移動量も多くなり、末梢血管の血流量の増加が図られる。特に、甲用シャワーノズルＮＢの温湯の噴射範囲が、足指Ｆｄにも及ぶように設定されているので、この足指Ｆｄの血流量も直接的に増大させられる。
【００３１】
更に、ふくらはぎ用シャワーノズルＮＣから噴射された温湯は、ふくらはぎＬａに当たり、シャワーであるので、ふくらはぎＬａがよくマッサージされるとともに、シャワー粒子の運動エネルギーにより、上記と同様に熱移動量も多くなり、末梢血管の血流量の増加が図られる。
【００３２】
そして、足Ｆは足指Ｆｄとともに足裏用シャワーノズルＮＡ及び甲用シャワーノズルＮＢの両方のノズルからの温湯に晒されるので、相乗的に末梢血管の血流量の増加が図られる。加えて、ふくらはぎＬａもふくらはぎ用シャワーノズルＮＣから噴射された温湯に晒されるので、より相乗的に末梢血管の血流量の増加が図られる。
【００３３】
この場合、足Ｆは、踵Ｆａにおいて踵支承部１３に支承されており、足Ｆの踵Ｆａ以外は浴槽１内に露出しているので、シャワーが満遍なく足Ｆに当たることになり、そのため、確実にマッサージが行なわれ、シャワー粒子の運動エネルギーが伝達されて、末梢血管の血流量の増加が図られる。
【００３４】
更に、踵支承部１３は、台本体１１の上面に凹設され、踵Ｆａが没入する凹部１４で構成されているので、踵Ｆａの保持が確実になっており、足Ｆが容易に動きにくいことから、確実に位置決めされる。そのため、温湯が目標に向けて確実に噴射されることになるので、この点でも、確実にマッサージが行なわれ、シャワー粒子の運動エネルギーが伝達されて、末梢血管の血流量の増加が図られる。
【００３５】
また、開口５の浴槽本体２側の開口５縁に、膝裏を支承するクッション部材６が設けられているので、膝裏が痛くなるなどの支障が防止される。
【００３６】
使用後においては、特に、通常入浴に比較して、保温維持機能が高く、長時間にわたって末梢血管の血流量が増加し、疲労回復が促進される。実験によれば、通常の温浴に比較して血流量や皮膚表面温度が明らかに高く維持されることが証明されている。このため、心身がリフレッシュされ、精神のリラクゼーションが導かれる。
【００３７】
更に、次に使用するときには、上記と同様に行なうが、凹部１４の底部に設けた排水口１５から凹部１４に溜まる水が排出されるので、凹部１４に水がないことから、不快感が防止される。
【００３８】
【試験例】
次に、パネラーにより本装置の使用を行ない、本装置の評価を行なった。パネラーは２０〜４０歳の７６人である。そのうち、女性が約６０％であった。
先ず、疲労回復に関する評価については、非常に良いが５０％以上で一番多く、やや良いも４０％近くを占め、やや悪いや悪いという評価は全くなく、全体として本装置が疲労回復に役立っていることが明らかになった。
また、リラクゼーションに関する評価については、非常に良いが約６０％を占め、やや良いとの評価を合わせれば９０％近くと高い評価となった。疲労回復と同時に、心身をリラックス状態に引き込む本装置の効能が証明される結果となった。
更に、総合的な利用効果についても、疲労回復やリラクゼーション効果と同様に８５％以上の利用者が本装置の利用効果を高く評価した。これらの評価は本装置の普及可能性を強く現しているといえる。
【００３９】
尚、上記実施の形態では、シャワーノズルＮとしては、足裏用シャワーノズルＮＡ，甲用シャワーノズルＮＢ及びふくらはぎ用シャワーノズルＮＣの３種類にしているが、必ずしもこれに限定されるものではなく、例えば、下肢Ｌのすね（脛）Ｌｂに向けて温湯を噴射するすね用シャワーノズルを設ける等、他にシャワーノズルを設けてもよく適宜変更して差支えない。
また、上記実施の形態では、浴槽は、膝下を収容する大きさに形成されているが腿下が入るようにしても良く、大きさは適宜変更して差支えない。
【００４０】
【発明の効果】
以上説明したように、本発明の下肢浴装置によれば、足は足裏用シャワーノズル及び甲用シャワーノズルの両方のノズルからの温湯に晒されるので、相乗的に末梢血管の血流量の増加を図ることができる。
その結果、疲労回復，健康増進を図ることができ、リラクゼーション機能を発揮させることができる。また、美容目的にも良い。更に、精神治療や脳卒中などのリハビリにもよく、消炎鎮痛効果や、睡眠障害に対する入眠効果もあることから、医療の分野での利用が期待される。
【００４１】
そして、足裏用シャワーノズル及び甲用シャワーノズルの温湯の噴射範囲を、足指にも及ぶように設定した場合には、この足指の血流量を直接的に増大することができ、確実に末梢血管の血流量の増加を図ることができる。足裏及び足指は、第二の心臓ともいわれ、この部位の血流量の増大により、身体の機能回復に寄与することになる。
【００４２】
また、支持体を、足の踵以外が浴槽内に露出するように踵を支承する踵支承部を有して構成した場合には、シャワーが満遍なく足に当たることになり、そのため、確実にマッサージが行なわれ、シャワー粒子の運動エネルギーが伝達されて、末梢血管の血流量の増加を図ることができる。
この場合、踵支承部を台本体の上面に凹設され踵が没入する凹部で構成すれば、足が容易に動きにくいことから、確実に位置決めでき、温湯が目標に向けて確実に噴射されることになるので、この点でも、確実にマッサージが行なわれ、シャワー粒子の運動エネルギーが伝達されて、末梢血管の血流量の増加を図ることができる等、本発明によれば種々の効果を奏する。
【００４３】
そしてまた、本発明の利用効果を詳しく説明すると、本装置の利用は、様々な分野が想定される。この本装置には基本的に、リラクゼーション利用，疲労回復利用，美容目的利用，医療目的利用等の利用可能性があるため、導入が見込まれる分野は非常に幅広いといえる。
【００４４】
リラクゼーション利用については、癒し系の心地よい利用特性を充分に活用するものである。リラクゼーションを直接の目的とする施設や商業活動もあれば、他の目的に付随してリラクゼーション機能を提供していく事業も想定される。
具体的には、リゾートホテルや都市内のホテルや旅館，健康ランド，スーパー銭湯などでの活用が見込まれる。現代人は、心身の緊張緩和や保養、気分転換など幅広い意味合いでリラクゼーション機能を求めており、導入の効果は高いと思われる。
【００４５】
また、疲労回復利用については、温浴により生理学的に疲労回復が進むと想定されるので、スポーツ直後の身体ダメージの回復や長時間の立ち仕事が続く職場などにおける身体リフレッシュ等のニーズが期待される。また、中高齢者の健康づくりや健康増進プログラム等にも導入が考えられる。具体的には、スキー場やゴルフ場等のスポーツ施設，会員制スポーツクラブや健康増進施設，デパート，駅舎などでの導入が有効となる。更に、蓄積疲労の緩和として、リラクゼーション利用と併せて、温泉などの様々な保養系の諸施設における活用も想定される。
【００４６】
美容目的利用については、この装置自体にマッサージ効果による洗浄，皮膚代謝促進効果（肌がすべすべになる効果）があるため、各種のマッサージやアカスリなどと組み合わせ利用することで、美容上のメリットが得られると考えられる。また、リラクゼーション機能もあるため、この業態との相性は非常に良いといえる。具体的には、エステティックや美容院などにおける有効活用が期待される。
【００４７】
医療目的利用には、純粋な医療行為を行なう利用装置としての可能性も充分に見込まれる。今後は、精神治療や脳卒中などのリハビリ，消炎鎮痛，下肢血流障害の改善などの分野においての利用が期待される。また、温水マッサージによる睡眠障害に対する入眠効果があり、中高齢者などの健康の維持管理に役立つと想定される。各種の医療機関や老人介護施設などにおける活用が考えられる。
【図面の簡単な説明】
【図１】本発明の実施の形態に係る下肢浴装置を示す側面図である。
【図２】本発明の実施の形態に係る下肢浴装置の使用状態を示す斜視図である。
【図３】本発明の実施の形態に係る下肢浴装置を示す平面図である。
【図４】本発明の実施の形態に係る下肢浴装置を示す正面図である。
【図５】本発明の実施の形態に係る下肢浴装置の支持体を示す斜視図である。
【図６】本発明の実施の形態に係る下肢浴装置の支持体を示す図５中Ａ−Ａ線断面図である。
【図７】本発明の実施の形態に係る下肢浴装置の支持体を示す図５中Ｂ−Ｂ線断面図である。
【図８】本発明の実施の形態に係る下肢浴装置の支持体を示す図５中Ｃ−Ｃ線断面図である。
【図９】本発明の実施の形態に係る下肢浴装置の温湯供給部の配管状態を示す図である。
【図１０】従来の下肢浴装置の一例を示す断面図である。
【符号の説明】
Ｓ  下肢浴装置
Ｌ  下肢
Ｌａ  ふくらはぎ（脹脛）
Ｌｂ  すね（脛）
Ｆ  足
Ｆａ  踵（かかと）
Ｆｂ  足裏
Ｆｃ  甲
Ｆｄ  足指
１  浴槽
２  浴槽本体
３  蓋体
４  ヒンジ
５  開口
６  クッション部材
１０  支持体
１１  台本体
１２  取付部
１３  踵支承部
１４  凹部
１５  排水口
Ｎ  シャワーノズル
ＮＡ  足裏用シャワーノズル
ＮＢ  甲用シャワーノズル
ＮＣ  ふくらはぎ用シャワーノズル
２０  温湯供給部
２１  給湯ポンプ
２２  給水ポンプ
２３  ミキサ
２４  加圧ポンプ
Ｖ１  ，Ｖ２    電磁バルブ
【図１】
2004298558.tif 000003
【図２】
2004298558.tif 000004
【図３】
2004298558.tif 000005
【図４】
2004298558.tif 000006
【図５】
2004298558.tif 000007
【図６】
2004298558.tif 000008
【図７】
2004298558.tif 000009
【図８】
2004298558.tif 000010
【図９】
2004298558.tif 000011
【図１０】
2004298558.tif 000012